(57)【要約】【課題】  流し台のシンク等における排水部の汚れ除去装置の篏合取り付け部のゴミの詰まりやヌメリ汚れを防止する。【解決手段】  洗浄剤１２の収納部５を備え、周縁部２０が排水部１０１の開口の縁部に沿って位置する載置段部１０３上に載置されて使用され、収納部５に収納される洗浄剤１２が溶け出し開口内に流下することで排水部の１０１の汚れ除去を行う排水部の汚れ除去装置において、周縁部２０の下面側に周方向に間隔をおいて、開口の中心側へ向く方向に複数個の載置用凸条１８が設けられてなるもの。【選択図】  図２
2019019545.tif 000002
【特許請求の範囲】
【請求項１】
洗浄剤の収納部を備え、周縁部が排水部の開口の縁部に沿って位置する載置段部上に載置されて使用され、前記収納部に収納される洗浄剤が溶け出し前記開口内に流下することで前記排水部の汚れ除去を行う排水部の汚れ除去装置において、
前記周縁部の下面側に周方向に沿って間隔をおいて、前記開口の中心側へ向く方向に複数個の載置用凸条が設けられてなることを特徴とする排水部の汚れ除去装置。
【請求項２】
排水部の上部に装着使用され、洗浄剤の収納部を上面に備え、前記収納部内に流入する水により前記洗浄剤が溶け出し前記排水部の汚れ除去を行う排水部の汚れ除去装置において、
前記収納部上に上面部と周囲面部とからなる蓋体が設けられ、前記周囲面部に細幅の水流入開口が設けられてなることを特徴とする排水部の汚れ除去装置。
【発明の詳細な説明】
【技術分野】
【０００１】
この発明は、流し台のシンク等の排水部の汚れ除去装置に関する。
【背景技術】
【０００２】
流し台のシンクの底部には内部に通水性のゴミかごが設置される排水部が凹設されており、使用に伴ってその排水部面やゴミかご面にヌメリ汚れが付着する。
【発明の概要】
【発明が解決しようとする課題】
【０００３】
上記のヌメリ汚れを除去するため、従来においては洗浄剤を収納する汚れ除去装置を排水部上に設置し、その収納部から溶け出し排水部内に流下する洗浄剤によってヌメリ汚れを除去するようにしている。この汚れ除去装置は、周縁に沿って下方に向く環状壁が設けられており、その環状壁の下端が排水部の開口周縁に沿って形成される載置段部上に載置されて、排水部の上部に篏合するように配置されている。
【０００４】
したがって、上記汚れ除去装置の場合、環状壁と排水部の開口内面との間に形成される篏合隙間部分に小さなゴミが詰まるとともにヌメリ汚れが付着しやすく、不衛生であるとともに見栄えも良くない問題があった。ゴミやヌメリ汚れを除去するためには汚れ除去装置を排水部から取り外して除去作業を行う必要があり、手間がかかった。
【０００５】
また、従来の汚れ除去装置の場合、洗浄剤の収納部上が開放していることで、収納部内に水とともにゴミが流れ込みゴミが溜まるとともに洗浄剤容器に付着してヌメリ汚れが発生し、不衛生であるとともに見栄えも良くない問題があった。収納部のゴミやヌメリ汚れを除去するのには手間がかかった。
【特許文献１】特開２０１６−０１７３７７
【０００６】
上記それぞれの問題点を解消すべく、請求項１発明は、流し台のシンク等における排水部の汚れ除去装置の篏合取り付け部のゴミの詰まりやヌメリ汚れが防止できるようにすることを目的とする。請求項２発明は、流し台のシンク等における排水部の汚れ除去装置の洗浄剤の収納部におけるゴミの溜まりやヌメリ汚れが防止できるようにすることを目的とする
【課題を解決するための手段】
【０００７】
請求項１の発明では、洗浄剤の収納部を備え、周縁部が排水部の開口の縁部に沿って位置する載置段部上に載置されて使用され、前記収納部に収納される洗浄剤が溶け出し前記開口内に流下することで前記排水部の汚れ除去を行う排水部の汚れ除去装置において、前記周縁部の下面側に周方向に沿って間隔をおいて、前記開口の中心側へ向く方向に複数個の載置用凸条が設けられてなる構成とする。
【０００８】
請求項１の発明によれば、周縁部の周端縁が排水部の開口内面に相対するだけでそこに従来のような篏合隙間が存在せず、篏合隙間がないことでゴミの詰まりやヌメリの発生が防止される。
【０００９】
請求項２の発明では、排水部の上部に装着使用され、洗浄剤の収納部を上面に備え、前記収納部内に流入する水により前記洗浄剤が溶け出し前記排水部の汚れ除去を行う排水部の汚れ除去装置において、前記収納部上に上面部と周囲面部とからなる蓋体が設けられ、前記周囲面部に細幅の水流入開口が設けられてなる構成とする。
【００１０】
請求項２の発明によれば、収納部上に蓋体があることでその内部に水とともにゴミが入ることがなく、細幅の水流入開口からほぼ水のみが収納部内に流入し、収納部におけるゴミの溜まりやヌメリ汚れが防止される。
【発明の効果】
【００１１】
請求項１の発明によれば、流し台のシンク等における排水部の汚れ除去装置の篏合取り付け部のゴミの詰まりやヌメリ汚れの問題が解消され、流し台等が衛生的に見栄え良く使用できるようになる。請求項２の発明によれば、流し台のシンク等における排水部の汚れ除去装置の洗浄剤の収納部におけるゴミの溜まりやヌメリ汚れの問題が解消され、流し台等が衛生的に見栄え良く使用できるようになる。
【図面の簡単な説明】
【００１２】
【図１】この発明の排水部の汚れ除去装置の実施形態の表面側外観斜視図
【図２】この発明の排水部の汚れ除去装置の実施形態の裏面側外観斜視図
【図３】この発明の排水部の汚れ除去装置の実施形態の蓋体開き時の表面側          外観斜視図
【図４】この発明の排水部の汚れ除去装置の実施形態の使用時の切り欠き断面構成図
【発明を実施するための最良の形態】
【００１３】
図１はこの発明の排水部の汚れ除去装置の実施形態の表面側外観斜視図、図２
は同裏面側外観斜視図、図３は同蓋体開き時の表面側外観斜視図である。
【００１４】
排水部の汚れ除去装置１はプラスチックス製で平面形状が円形であり、その上面の中央に円形に凹む洗浄剤収納体の収納部５を備え、収納部５上には蓋体６が設けられている。上面の収納部５の両側位置には外側下部に導水部４を一体とする湾曲形状の通水開口７のそれぞれが設けられ、上面の通水開口７間部分それぞれを水流入面部２としている。
【００１５】
収納部５の周壁９には複数個の排水穴８が設けられ、周壁９の下縁からは内方に突出して係止縁１４が設けられ、その係止縁１４上には凸条１１のそれぞれが突出形成されている。これらの凸条１１上に、図４に示すように、周縁部１０が載置されてカゴ状で内部に固形の洗浄剤１２が収納される洗浄剤収納体１３が係止されて設けられる。
【００１６】
蓋体６は一端が収納部５の縁部に軸支されることで開閉可能に取り付けられている。蓋体６は環状の周囲面部１９と周囲面部１９より少し高く位置する内側の円形の上面部１５とから構成され、その間の立ち上がり位置に沿って２ｍｍ程度の細幅の３個の水流入開口１７が設けられている。環状の周囲面部１９面は水流入開口１７が位置する内周側が外周側より低く位置するように若干傾斜している。
【００１７】
汚れ除去装置１の周縁部２０の下面側には、周方向に間隔をおいて中心へ向く方向に８個の載置用凸条１８が一体に設けられている。それら載置用凸条１８の導水部４のそれぞれの外面に相対する６個のものは、その内端側が導水部４の外面に連続するように設けられている。
【００１８】
汚れ除去装置１は、図４に示すように、流し台シンク１００の排水部１０１においてストレーナ(ゴミかご) １０２上に使用され、周縁部２０下面の載置用凸条１８のそれぞれが排水部１０１の開口の縁部に沿って位置する載置段部１０３上に載置されて配置される。
【００１９】
以下、汚れ除去装置１の使用状態を説明する。汚れ除去装置１の上面に至った水は、一方においては通水開口７から導水部４に沿って流れてストレーナ１０２内に直接流下する（矢印Ａ）。他方においては水流入面部２上に沿って流れ、蓋体６の周囲面部１３から水流入開口１７を通って収納部５内に入り、洗浄剤収納体１３内の洗浄剤１２を溶かす。その洗浄剤１２が溶け込んだ水は洗浄剤収納体１３の下面からストレーナ１０２内に落下する（矢印Ｂ）。これにより、ストレーナ１０２、さらに、排水部１０１におけるヌメリの発生が防止される。
【００２０】
上記において、水流入面部２上から蓋体６の周囲面部１９上に至った水は、周囲面部１９の内周側が外周側より低く位置するように若干傾斜していることで、水流入開口１７にスムーズに導かれて収納部５内に至り、これにより洗浄剤１２による洗浄効果が高められる。
【００２１】
また、汚れ除去装置１の上面に至る水に大きなゴミが混入していても、蓋体６で覆われていることで収納部５内に入ることはない。水流入開口１７から収納部５内に侵入する小さなゴミは、周壁９の排水穴８から水とともに排出される。また、洗浄剤収納体１３は凸条１１上に周縁部１０が載置されることで係止縁８上に浮き状態に設けられるので、小さなゴミはその間を水とともに流されて係止縁８の内縁からストレーナ１０２上に落下し（矢印Ｃ）、これによりゴミがつまることがない。このようにして、収納部５は内部にゴミが留まることがなくて常に水が内部をスムーズに流れる状態で使用され、ヌメリの発生も防止される。
【００２２】
また、周縁部２０下面の載置用凸条１８が排水部１０１の開口の縁部に沿って位置する載置段部１０３上に載置されて配置されることで、周縁部２０の周端縁１１０が排水部１０１の開口内面１１１に相対しているだけでそこに従来のような篏合隙間が存在せず、これにより、その部分におけるゴミのつまりやヌメリの発生の問題がない。流し台シンク１００上の一部の水は周縁部２０の周端縁１１０と開口内面１１１の相対隙間を通過し、開口内面１１１面から載置段部１０３上に至り、さらにストレーナ１０２の内周面に沿って流下する（矢印Ｄ）。載置用凸条１８は６個のものの内端側が導水部４の外面に連続し補強されて安定した構造となっていることで、使用時に上方から大きな力がかかっても破損の恐れがなく、これにより汚れ除去装置１は安定した状態において配置使用される。
【符号の説明】
【００２３】
１      排水部の汚れ除去装置
５      収納部
６      蓋
１２    洗浄剤
１５    上面部
１７    水流入開口
１８    載置用凸条
１９    周囲面部
２０    周縁部
１０１  排水部
１０３  載置段部
【図１】
2019019545.tif 000003
【図２】
2019019545.tif 000004
【図３】
2019019545.tif 000005
【図４】
2019019545.tif 000006